(57)【特許請求の範囲】
【請求項１】
複数のセルの各々に対応する複数の無線リソースを使用して無線局との間で通信するキャリアアグリゲーションを実行可能な無線端末であって、
前記複数のセルのうち、少なくともプライマリセルにおいて上りリンク信号が同期しているか否かの判定に用いられる第１の同期タイマと、
前記複数のセルのうち、少なくともセカンダリセルにおいて上りリンク信号が同期しているか否かの判定に用いられる第２の同期タイマと、
前記第２の同期タイマが動作中であっても、前記第１の同期タイマが満了した場合は、全てのセルでの上りリンク信号送信を実行しないように構成される制御手段と、
を有し、前記制御手段が、前記第１の同期タイマが満了した場合であっても、前記第２の同期タイマが動作することを許可するように構成される、ことを特徴とする無線端末。
【請求項２】
前記制御手段は、前記第１の同期タイマが満了した場合、前記全てのセルにおいて、少なくともデータ送信を停止することを特徴とする請求項１に記載の無線端末。
【請求項３】
前記制御手段は、前記プライマリセルにおける上り信号の再同期により前記第１の同期タイマが再スタートすると、前記プライマリセルにおける上り信号の送信を可能にし、前記第２の同期タイマが継続稼働中であれば、前記セカンダリセルにおける停止していた上り信号の送信を可能にすることを特徴とする請求項１又は２に記載の無線端末。
【請求項４】
前記制御手段は、前記第１の同期タイマの満了後に前記第２の同期タイマが継続稼働中であれば、前記セカンダリセルにおいてパイロット信号、リファレンス信号及び制御信号の少なくとも１つの送信を継続することを特徴とする請求項１−３のいずれか１項に記載の無線端末。
【請求項５】
前記制御手段は、前記第１の同期タイマが満了した場合、前記第２の同期タイマを継続稼働させ、前記プライマリセル又は前記セカンダリセルにおけるパイロット信号、リファレンス信号及び制御信号の少なくとも１つの周期的な送信を停止することを特徴とする請求項１−３のいずれか１項に記載の無線端末。
【請求項６】
前記制御手段は、前記プライマリセルにおける上りリンク信号の再同期により前記第１の同期タイマが再スタートすると、前記第２の同期タイマが継続稼働中であれば、前記セカンダリセルにおける停止していたパイロット信号、リファレンス信号及び制御信号の少なくとも１つの送信を再開することを特徴とする請求項５に記載の無線端末。
【請求項７】
複数のセルの各々に対応する複数の無線リソースを使用して無線局との間で通信するキャリアアグリゲーションを実行可能な無線端末における同期タイマ制御方法であって、
前記無線端末が、前記複数のセルのうち少なくともプライマリセルにおいて上りリンク信号が同期しているか否かの判定に用いられる第１の同期タイマと、前記複数のセルのうち少なくともセカンダリセルにおいて上りリンク信号が同期しているか否かの判定に用いられる第２の同期タイマと、を有し、
前記第２の同期タイマが動作中であっても、前記第１の同期タイマが満了した場合は、全てのセルでの上りリンク信号送信を実行しないように制御し、
前記第１の同期タイマが満了した場合であっても、前記第２の同期タイマが動作することを許可するよう制御する、
ことを特徴とする無線端末における同期タイマ制御方法。
【請求項８】
前記第１の同期タイマが満了した場合、前記全てのセルにおいて、少なくともデータ送信を停止することを特徴とする請求項７に記載の無線端末における同期タイマ制御方法。
【請求項９】
前記プライマリセルにおける上り信号の再同期により前記第１の同期タイマが再スタートすると、前記プライマリセルにおける上り信号の送信を可能にし、前記第２の同期タイマが継続稼働中であれば、前記セカンダリセルにおける停止していた上り信号の送信を可能にすることを特徴とする請求項７または８に記載の無線端末における同期タイマ制御方法。
【請求項１０】
前記第１の同期タイマの満了後に前記第２の同期タイマが継続稼働中であれば、前記セカンダリセルにおいてパイロット信号、リファレンス信号及び制御信号の少なくとも１つ送信を継続することを特徴とする請求項７−９のいずれか１項に記載の無線端末における同期タイマ制御方法。
【請求項１１】
前記第１の同期タイマが満了した場合、前記第２の同期タイマを継続稼働させ、前記プライマリセル又は前記セカンダリセルにおけるパイロット信号、リファレンス信号及び制御信号の少なくとも１つの周期的な送信を停止することを特徴とする請求項７−９のいずれか１項に記載の無線端末における同期タイマ制御方法。
【請求項１２】
前記プライマリセルにおける上りリンク信号の再同期により前記第１の同期タイマが再スタートすると、前記第２の同期タイマが継続稼働中であれば、前記セカンダリセルにおける停止していたパイロット信号、リファレンス信号及び制御信号の少なくとも１つの送信を再開することを特徴とする請求項１１に記載の無線端末における同期タイマ制御方法。
【請求項１３】
複数のセルの各々に対応する複数の無線リソースを使用するキャリアアグリゲーションを実行可能な無線端末との間で通信する機能を有する無線局であって、
前記複数のセルのうち、少なくともプライマリセルに対応する第１の同期タイマの第１の値と、前記複数のセルのうち、少なくともセカンダリセルに対応する第２の同期タイマの第２の値とを生成する手段と、
前記第１の同期タイマの前記第１の値と、前記第２の同期タイマの前記第２の値とを少なくとも送信する手段とを有し、
前記第１の同期タイマは、前記無線端末の前記プライマリセルでの上りリンク信号が前記無線局の受信タイミングと同期しているかの判定に用いられ、
前記第２の同期タイマは、前記無線端末の前記セカンダリセルでの上りリンク信号が前記無線局の受信タイミングと同期しているかの判定に用いられ、
前記無線端末は、前記第１の同期タイマが満了しても、前記第２の同期タイマが動作することを許可され、前記第２の同期タイマが動作中であっても、前記第１の同期タイマが満了したら全てのセルで上りリンク信号の送信を実行しないように制御する、
ことを特徴とする無線局。
【請求項１４】
前記第１の同期タイマが満了した場合、前記全てのセルにおいて少なくとも上りデータ送信を停止することを特徴とする請求項１３に記載の無線局。
【請求項１５】
前記プライマリセルにおける上り信号の再同期により前記第１の同期タイマが再スタートすると、前記プライマリセルにおける上り信号の送信を可能にし、前記第２の同期タイマが継続稼働中であれば、前記セカンダリセルにおける停止していた上り信号の送信を可能にすることを特徴とする請求項１３または１４に記載の無線局。
【請求項１６】
複数のセルの各々に対応する複数の無線リソースを使用するキャリアアグリゲーションを実行可能な無線端末との間で通信する機能を有する無線局における同期タイマ制御方法であって、
前記複数のセルのうち、少なくともプライマリセルに対応する第１の同期タイマの第１の値と、前記複数のセルのうち、少なくともセカンダリセルに対応する第２の同期タイマの第２の値とを生成し、
前記第１の同期タイマの前記第１の値と、前記第２の同期タイマの前記第２の値とを少なくとも送信し、
前記第１の同期タイマは、前記無線端末の前記プライマリセルでの上りリンク信号が前記無線局の受信タイミングと同期しているかの判定に用いられ、
前記第２の同期タイマは、前記無線端末の前記セカンダリセルでの上りリンク信号が前記無線局の受信タイミングと同期しているかの判定に用いられ、
前記無線端末は、前記第１の同期タイマが満了しても、前記第２の同期タイマが動作することを許可され、前記第２の同期タイマが動作中であっても、前記第１の同期タイマが満了したら全てのセルで上りリンク信号の送信を実行しないように制御する、
ことを特徴とする無線局における同期タイマ制御方法。
【請求項１７】
前記第１の同期タイマが満了した場合、前記全てのセルにおいて少なくとも上りデータ送信を停止することを特徴とする請求項１６に記載の無線局における同期タイマ制御方法。
【請求項１８】
前記プライマリセルにおける上り信号の再同期により前記第１の同期タイマが再スタートすると、前記プライマリセルにおける上り信号の送信を可能にし、前記第２の同期タイマが継続稼働中であれば、前記セカンダリセルにおける停止していた上り信号の送信を可能にすることを特徴とする請求項１６または１７に記載の無線局における同期タイマ制御方法。
【請求項１９】
複数のセルの各々に対応する複数の無線リソースを使用するキャリアアグリゲーションを実行可能な無線端末と無線局との間で通信する機能を有する無線通信システムであって、
前記無線端末に、前記複数のセルのうち少なくともプライマリセルにおいて上りリンク信号が同期しているか否かの判定に用いられる第１の同期タイマと、前記複数のセルのうち少なくともセカンダリセルにおいて上りリンク信号が同期しているか否かの判定に用いられる第２の同期タイマと、を設け、
前記無線端末において、前記第２の同期タイマが動作中であっても、前記第１の同期タイマが満了した場合は、全てのセルでの上りリンク信号送信を実行しないように構成され、前記第１の同期タイマが満了した場合であっても、前記第２の同期タイマが動作することを許可するよう構成される、
ことを特徴とする無線通信システム。
【請求項２０】
前記無線局が無線基地局あるいは基地局制御局であることを特徴とする請求項１９に記載の無線通信システム。
【発明の詳細な説明】
【技術分野】
【０００１】
本発明は、無線端末が複数キャリアあるいは複数セルで同時に信号を送信する機能を有する無線通信システムに係り、特にその無線局、無線端末および同期タイマ制御方法に関する。
【背景技術】
【０００２】
３ＧＰＰ(3rd Generation Partnership Project）で規定される無線通信システムの規格の１つであるＬＴＥ（Long Term Evolution）では、ＴＤＭ（Time Domain Multiplexing）／ＦＤＭ（Frequency Domain Multiplexing）方式により時間領域および周波数領域からなる無線リソースを各無線端末（User Equipment：ＵＥ）に割り当てる。特に複数の無線端末が無線基地局（enhanced Node B：ｅＮＢ）へ送信する上り信号に関しては、無線基地局が各無線端末の上り信号の送信タイミングを無線基地局において所定の受信ウィンドウ内に納まるように制御する。この上り信号送信タイミングの制御は次の２つを用いて行なわれる（非特許文献１）。【０００３】
・上り信号の送信タイミング調整値（Timing Advance：ＴＡ）
・上り信号の同期タイマ（Time Alignment Timer：ＴＡＴ）
送信タイミング調整値ＴＡは、無線端末が現在の送信タイミングを所定量だけ早めるべき又は遅らせるべき値を示す情報である。同期タイマＴＡＴは、現在の送信タイミング設定のまま、無線基地局での上り信号受信タイミングが所定ウィンドウ内に納まること、すなわち上り信号の同期、が保証できる期間を示す。無線端末は、同期タイマＴＡＴが稼働中であれば上り信号の送信が可能であり、同期タイマＴＡＴが満了すると上り信号を送信しない（送信することができない)。【０００４】
また、ＬＴＥを発展させた無線通信システムであるＬＴＥ−Ａｄｖａｎｃｅｄ（ＬＴＥ−Ａ）では、無線端末が複数のコンポーネントキャリア（Component Carrier：ＣＣ）を同時に使用してユーザデータ等を送受信するキャリアアグリゲーション（Carrier Aggregation：ＣＡ）の標準化が進められている（非特許文献２）。各コンポーネントキャリアＣＣはＬＴＥで規定されるシステム帯域の１つに相当し、１つのセルに対応すると考えることができる。すなわち、下りリンクのコンポーネントキャリアＣＣと対応する上りリンクのコンポーネントキャリアＣＣとを合わせて１つのセルと考える。例えば、２つの下りリンク（或は上りリンク）のコンポーネントキャリアＣＣで送受信することを２つのセルで送受信すると言い換えることができる。したがって、１つの上り／下りリンクのコンポーネントキャリアＣＣでの通信は１つのセルでの通信と対応しており、以下の記載ではコンポーネントキャリアとセルの両方あるいは一方を適宜使用するものとする。【０００５】
ここで、無線端末が無線基地局と通信を行う上で必要なシステム情報の取得など、最も基本的な機能を行うコンポーネントキャリアＣＣをプライマリコンポーネントキャリア（Primary CC：ＰＣＣ）あるいはプライマリセル（Primary Cell：ＰＣｅｌｌ）と呼び、その他のコンポーネントキャリアＣＣをセカンダリコンポーネントキャリア（Secondary CC：ＳＣＣ）あるいはセカンダリセル（Secondary Cell：ＳＣｅｌｌ）と呼ぶ。【０００６】
これまでＬＴＥ−Ａでは、キャリアアグリゲーションＣＡを行う場合、複数のコンポーネントキャリアＣＣあるいは複数のセルにおける上り信号の送信タイミングが共通であることを前提として検討が進められてきた。つまり、複数のコンポーネントキャリアＣＣ（に対応する複数のセル）を使用して上り信号を送信する場合でも、ある時刻に無線基地局が無線端末に通知する上り送信タイミングの調整値ＴＡは１つであり、同期タイマＴＡＴも無線端末毎に１つである。これにより、たとえキャリアアグリゲーションＣＡを行う場合であっても上り信号の送信タイミング制御を複雑化することなく容易に実行することができる。【０００７】
一方、３ＧＰＰでは、ＬＴＥ−Ａとして標準規定された技術をさらに改良した技術の検討が開始されている。具体的には、複数のコンポーネントキャリアＣＣすなわち複数のセル間で上り信号の送信タイミングが異なる場合であってもキャリアアグリゲーションＣＡを可能にする技術が議論されている。上り信号の送信タイミングが複数のコンポーネントキャリアＣＣ（複数のセル）間で異なる要因としては、周波数帯域が異なること、周波数帯域毎（或は特定の周波数帯域のみ）にリピータ（再生局）が設置されていること、などがある。【０００８】
３ＧＰＰでは、上り信号の送信タイミングを共通に制御できる１つ又は複数のコンポーネントキャリア（セル）のグループを同期グループ（Timing Advance Group：ＴＡグループ）と呼ぶ。この共通にタイミング制御ができるＴＡグループごとに上り信号の送信タイミング調整値ＴＡの制御を行ない、同期タイマＴＡＴもＴＡグループ毎に１つ保持する同期タイマ制御方法が非特許文献３に提案されている。【０００９】
以下に、図１〜図３を参照しながら、複数のコンポーネントキャリアＣＣ（複数のセル）間で上り信号の送信タイミングが異なる場合の同期タイマ制御方法について簡単に説明する。【００１０】
図１に示すように、上り信号の送信タイミングが異なる２つのＴＡグループ１および２が存在するシステムを考える。ここでは、図２（Ａ）に示すように、プライマリセルＰＣｅｌｌとセカンダリセルＳＣｅｌｌ１とが同じＴＡグループ１に属し、セカンダリセルＳＣｅｌｌ２とセカンダリセルＳＣｅｌｌ３とが同じＴＡグループ２に属しているものとし、無線基地局ｅＮＢおいて、無線端末ＵＥがプライマリセルＰＣｅｌｌに加え、３つのセカンダリセルＳＣｅｌｌ１−３を用いて上り送信を行うものとする。この場合、ＴＡグループ１とＴＡグループ２との間では上り送信タイミングが異なっているので、図２（Ｂ）に例示するように、無線基地局ｅＮＢにおいて上り信号受信タイミングが所定のウィンドウ内に納まるように各ＴＡグループの上り送信タイミング調整値ＴＡ１、ＴＡ２を設定する。【００１１】
また、図３に示すように、非特許文献３によれば、無線端末ＵＥは、ＴＡグループ１における上り信号の送信タイミング制御にリンクさせて同期タイマＴＡＴ１を制御し、同様にＴＡグループ２における上り信号の送信タイミング制御にリンクさせて同期タイマＴＡＴ２を制御する。つまり、各ＴＡグループ（ＴＡグループ１、ＴＡグループ２）において上り信号が同期確立された時点で対応する同期タイマＴＡＴ１、ＴＡＴ２をスタートさせ、各ＴＡグループにおいて同期タイマＴＡＴ１、ＴＡＴ２が稼働中に送信タイミングの調整値ＴＡ１、ＴＡ２を受信するたびに同期タイマＴＡＴ１、ＴＡＴ２をリスタート（設定値から再スタート）させる（ステップＳ１１、Ｓ１２）。このタイマ制御により、無線端末ＵＥは、各ＴＡグループにおける上り信号の同期が保証されているか否かの判定を行うことができる。【００１２】
さらに、ＴＡグループ１における同期タイマＴＡＴ１が満了すると（ステップＳ１３）、その時点で同期タイマＴＡＴ２が稼働中であっても、すなわちＴＡグループ２の上り信号が同期していても、同期タイマＴＡＴ２を停止させることが提案されている（ステップＳ１４）。これは、ＬＴＥ−ＡにおけるＣＡでは、無線端末ＵＥは、プライマリセルでのみ上り制御信号（Physical Uplink Control Channel：ＰＵＣＣＨ）の送信が可能であるという制約に基づいた提案である。つまり、無線端末ＵＥは上り制御信号（ＰＵＣＣＨ）を送信可能なプライマリセルの上り信号が同期していない場合、全ての上り信号の送信を停止すべきであり、同期タイマＴＡＴ１の満了と共に同期タイマＴＡＴ２を停止させることでこれを容易に実現することを目的としている。【００１３】
なお、無線端末ＵＥは、同期タイマＴＡＴ２を停止後、ＴＡグループ２に対する送信タイミングの調整値ＴＡ２を受信しても、同期タイマＴＡＴ２をリスタートさせない。これにより、同期タイマＴＡＴ１が満了したが同期タイマＴＡＴ２が稼働中である場合に、無線端末ＵＥがＴＡグループ２で上り信号を送信するという状況を回避することができる。
【先行技術文献】
【非特許文献】
【００１４】
【非特許文献１】３ＧＰＰ  ＴＳ３６．３２１ｖ１０．１．０（インターネット＜ＵＲＬ＞http:www.3gpp.org/ftp/Specs/html-info/36321.htm）ｓｅｃｔｉｏｎ  ５．２
【非特許文献２】３ＧＰＰ  ＴＳ３６．３００ｖ１０．３．０（インターネット＜ＵＲＬ＞http:www.3gpp.org/ftp/Specs/html-info/36300.htm）ｓｅｃｔｉｏｎ  ５．５，６．４，７．５
【非特許文献３】３ＧＰＰ  ＲＡＮ  ＷＧ２  Ｃｏｎｔｒｉｂｕｔｉｏｎ，Ｒ２−１１２８１９（インターネット＜ＵＲＬ＞http:www.3gpp.org/ftp/tsg_ran/WG2_RL2/TSGR2_74/Docs/R2-112819.zip）
【発明の概要】
【発明が解決しようとする課題】
【００１５】
上述したＬＴＥにおける同期タイマ制御では、プライマリセルを含むＴＡグループ１における同期タイマＴＡＴ１の満了時に、ＴＡグループ２における同期タイマＴＡＴ２を停止させる。しかし、現在３ＧＰＰで検討されているキャリアアグリゲーション（ＣＡ）では、複数のＴＡグループにおける同期確立の処理を並行して行うことができないことが前提と考えられている。このために、少なくともプライマリセルを含むＴＡグループ１のセルで上り信号の再同期が必要になり、さらにＴＡグループ２のセルでも上り信号の再同期が必要になった場合、まずＴＡグループ１で再同期が完了した後に、ＴＡグループ２で再同期を開始することになる。したがって、ＴＡグループ２の再同期動作は、ＴＡグループ１での再同期に要する時間だけ遅れて開始される。１つのＴＡグループで再同期に要する時間は２０ｍｓｅｃ程度（或は、それ以上）であると想定されている。この遅延時間はＴＡグループの数に比例して増加し、無線端末ＵＥの伝送速度（スループット）を大きく低下させる為、当該遅延時間をできるだけ短くすることが望ましい。尚、ＴＡグループ１およびＴＡグループ２の両方で再同期が必要になる場合としては、例えば無線端末ＵＥが単発的にデータ送信を行うアプリケーションなどを実行していて、１回に送信するデータサイズが大きい為にキャリアアグリゲーション（ＣＡ）が必要になるような（ＣＡが望ましい）場合が想定される。【００１６】
このように、プライマリセルを含むＴＡグループ１における同期タイマＴＡＴ１が満了して同期が外れた（同期が失われた）場合に生じる他のＴＡグループにおける再同期完了の遅延を回避することは、無線端末のスループットの低下を回避するために重要である。【００１７】
そこで、本発明の目的は、複数のセルグループが存在する場合に上り信号の再同期を行なうまでの遅延をできるだけ低減させる無線通信システムにおける無線局、無線端末および同期タイマ制御方法を提供することにある。
【課題を解決するための手段】
【００１８】
本発明による無線端末は、複数のセルの各々に対応する複数の無線リソースを使用して無線局との間で通信するキャリアアグリゲーションを実行可能な無線端末であって、前記複数のセルのうち、少なくともプライマリセルにおいて上りリンク信号が同期しているか否かの判定に用いられる第１の同期タイマと、前記複数のセルのうち、少なくともセカンダリセルにおいて上りリンク信号が同期しているか否かの判定に用いられる第２の同期タイマと、前記第２の同期タイマが動作中であっても、前記第１の同期タイマが満了した場合は、全てのセルでの上りリンク信号送信を実行しないように構成される制御手段と、を有し、前記制御手段は、前記第１の同期タイマが満了した場合であっても、前記第２の同期タイマが動作することを許可するよう構成されることを特徴とする。
【００１９】
本発明による無線端末における同期タイマ制御方法は、複数のセルの各々に対応する複数の無線リソースを使用して無線局との間で通信するキャリアアグリゲーションを実行可能であり、前記複数のセルのうち少なくともプライマリセルにおいて上りリンク信号が同期しているか否かの判定に用いられる第１の同期タイマと、前記複数のセルのうち少なくともセカンダリセルにおいて上りリンク信号が同期しているか否かの判定に用いられる第２の同期タイマと、を有する無線端末における同期タイマ制御方法であって、前記第２の同期タイマが動作中であっても、前記第１の同期タイマが満了した場合は、全てのセルでの上りリンク信号送信を実行しないように制御し、前記第１の同期タイマが満了した場合であっても、前記第２の同期タイマが動作することを許可するよう制御する、ことを特徴とする。
【００２０】
本発明による無線局は、複数のセルの各々に対応する複数の無線リソースを使用するキャリアアグリゲーションを実行可能な無線端末との間で通信する機能を有する無線局であって、前記複数のセルのうち、少なくともプライマリセルに対応する第１の同期タイマの第１の値と、前記複数のセルのうち、少なくともセカンダリセルに対応する第２の同期タイマの第２の値とを生成する手段と、前記第１の同期タイマの前記第１の値と、前記第２の同期タイマの前記第２の値とを少なくとも送信する手段とを有し、前記第１の同期タイマは、前記無線端末の前記プライマリセルでの上りリンク信号が前記無線局の受信タイミングと同期しているかの判定に用いられ、前記第２の同期タイマは、前記無線端末の前記セカンダリセルでの上りリンク信号が前記無線局の受信タイミングと同期しているかの判定に用いられ、前記無線端末は、前記第１の同期タイマが満了しても、前記第２の同期タイマが動作することを許可され、前記第２の同期タイマが動作中であっても、前記第１の同期タイマが満了したら全てのセルで上りリンク信号の送信を実行しないように制御する、ことを特徴とする。
【００２１】
本発明による無線局における同期タイマ制御方法は、複数のセルの各々に対応する複数の無線リソースを使用するキャリアアグリゲーションを実行可能な無線端末との間で通信する機能を有する無線局における同期タイマ制御方法であって、前記複数のセルのうち、少なくともプライマリセルに対応する第１の同期タイマの第１の値と、前記複数のセルのうち、少なくともセカンダリセルに対応する第２の同期タイマの第２の値とを生成し、前記第１の同期タイマの前記第１の値と、前記第２の同期タイマの前記第２の値とを少なくとも送信し、前記第１の同期タイマは、前記無線端末の前記プライマリセルでの上りリンク信号が前記無線局の受信タイミングと同期しているかの判定に用いられ、前記第２の同期タイマは、前記無線端末の前記セカンダリセルでの上りリンク信号が前記無線局の受信タイミングと同期しているかの判定に用いられ、前記無線端末は、前記第１の同期タイマが満了しても、前記第２の同期タイマが動作することを許可され、前記第２の同期タイマが動作中であっても、前記第１の同期タイマが満了したら全てのセルで上りリンク信号の送信を実行しないように制御する、ことを特徴とする。
【００２２】
本発明による無線通信システムは、複数のセルの各々に対応する複数の無線リソースを使用するキャリアアグリゲーションを実行可能な無線端末と無線局との間で通信する機能を有する無線通信システムであって、前記無線端末に、前記複数のセルのうち少なくともプライマリセルにおいて上りリンク信号が同期しているか否かの判定に用いられる第１の同期タイマと、前記複数のセルのうち少なくともセカンダリセルにおいて上りリンク信号が同期しているか否かの判定に用いられる第２の同期タイマと、を設け、前記無線端末において、前記第２の同期タイマが動作中であっても、前記第１の同期タイマが満了した場合は、全てのセルでの上りリンク信号送信を実行しないように構成され、前記第１の同期タイマが満了した場合であっても、前記第２の同期タイマが動作することを許可するよう構成される、ことを特徴とする。
【発明の効果】
【００２３】
本発明によれば、第１の同期タイマの状態と第２の同期タイマの状態に従って第２のセルグループの上り信号の送信を制御し、第１の同期タイマと第２の同期タイマを独立に制御することにより、第１の同期タイマが満了した時に第２の同期タイマを継続して稼働させることができ、第１のセルグループで再同期を行なう場合の第２のセルグループにおける再同期完了までの遅延を低減させることができる。これにより、当該遅延による無線端末のスループットの低下を抑制することができる。
【図面の簡単な説明】
【００２４】
【図１】図１はＬＴＥ−Ａｄｖａｎｃｅｄにおける同期グループについて説明するためのシステム構成図である。
【図２】図２（Ａ）は図１に示すシステムにおけるキャリアアグリゲーションを説明するための模式図であり、図２（Ｂ）は図２（Ａ）に示す同期グループにおける上り信号の送信タイミング調整値について説明するための模式図である。
【図３】図３は図２に示すシステムの同期タイマ制御における無線端末および無線基地局の動作を示すシーケンス図である。
【図４】図４は本発明の一実施形態による無線通信システムにおけるキャリアアグリゲーションを説明するためのセルグループの一例を示す模式図である。
【図５】図５は本実施形態による無線通信システムにおけるキャリアアグリゲーションを説明するためのセルグループの他の例を示す模式図である。
【図６】図６は本実施形態による無線通信システムにおける無線端末および無線基地局の動作を示すシーケンス図である。
【図７】図７は本実施形態による無線基地局の機能構成を示すブロック図である。
【図８】図８は本実施形態による無線端末の機能構成を示すブロック図である。
【図９】図９は本発明の第１実施例による無線基地局の同期タイマ制御方法を示すフローチャートである。
【図１０】図１０は本発明の第１実施例による無線端末の同期タイマ制御方法を示すフローチャートである。
【図１１】図１１は本発明の第２実施例による無線基地局の同期タイマ制御方法を示すフローチャートである。
【図１２】図１２は本発明の第２実施例による無線端末の同期タイマ制御方法を示すフローチャートである。
【図１３】図１３は本実施形態の具体的適用例である無線通信システムにおけるキャリアアグリゲーションを説明するための同期グループの一例を示す模式図である。
【図１４】図１４は本発明の第３実施例による無線基地局の同期タイマ制御方法を示すフローチャートである。
【図１５】図１５は本発明の第３実施例による無線端末の同期タイマ制御方法を示すフローチャートである。
【図１６】図１６は本発明の第４実施例による無線端末の同期タイマ制御方法を示すフローチャートである。
【発明を実施するための形態】
【００２５】
本発明によれば、少なくとも１つのセルを含む複数のセルグループの各々に対応させて、無線端末の上り信号が同期しているか否かを判定するための複数の同期タイマを保持し、複数のセルグループのなかの特定のセルを含む第１のセルグループに対応付けられた第１の同期タイマの状態、及び、第１のセルグループ以外の第２のセルグループに対応付けられた第２の同期タイマの状態に従って、当該第２のセルグループに含まれるセルにおける上り信号の送信を制御し、当該第１の同期タイマと当該第２の同期タイマを独立に制御する。ここで、セルグループは、例えば、同じ上り信号の送信タイミングを利用できるセルから構成されることが考えられる。
【００２６】
このような制御により、特定セルを含む第１のセルグループの第１の同期タイマが満了した時に、他のセルグループである第２のセルグループの第２の同期タイマを独立に継続して稼働させることが可能となる。したがって、第２のセルグループの第２の同期タイマを継続稼働させたまま第２のセルグループのセルにおける少なくとも上りデータ送信を停止させることで、第１のセルグループに含まれるセル（例えば、特定セル）において再同期が確立して第１のセルグループの第１の同期タイマがスタートした時に、第２のセルグループのセルにおける上り信号の送信を遅延なく即座に行なうことが可能となる。以下、本発明の一実施形態およびいくつかの実施例について詳細に説明する。
【００２７】
１．一実施形態
１．１）システム構成
本発明の一実施形態では無線局と無線端末を含む無線通信ステムを想定しており、無線局としては無線基地局や基地局制御局などが考えられる。本実施形態および後述する実施例では、一例として無線局を無線基地局として説明する。
【００２８】
図４は、図の煩雑さを避けるために１つのセクタのみを図示しているが、通常は複数セクタ構成である。無線基地局１０は、４つの周波数帯ｆ０、ｆ１、ｆ２、ｆ３を用いてセル０−３を管理しており、無線端末２０は複数の周波数帯を同時に用いて上り信号を送信することができる。すなわち、無線端末２０は、所定条件を満たす周波数帯ｆ０のセル０の上り無線リソース（以下、単にセル０という。）、ｆ１のセル１の上り無線リソース（以下、単にセル１という。）、ｆ２のセル２の上り無線リソース（以下、単にセル２という。）、ｆ３のセル３の上り無線リソース（以下、単にセル３という。）の全てあるいは複数を同時に用いて上り信号を送信することができる。ここでいう所定条件は、たとえば、無線基地局１０から受信した上り無線リソースの設定情報に従って当該無線リソースが（明示的に又は暗に）有効にされ（Ａｃｔｉｖａｔｅｄ）利用可能な状態になっていることである。
【００２９】
さらに、これら複数のセル０−３（すなわち、それぞれの上り無線リソース）は所定規則に従ってグループ化されており、ここではセル０とセル１がセルグループ１に、セル２とセル３がセルグループ２に分けられているものとする。ここでいう所定規則は、たとえば、伝搬遅延（伝搬特性）が同じ（類似）で、同じ上り信号の送信タイミングの調整値を適用（利用）できる（送信タイミングの設定を共有できる）ことである。このようなセルグループ単位で無線端末２０の上り信号の送信タイミング制御が行なわれる。
【００３０】
さらに、無線基地局１０および無線端末２０には、上り信号が同期しているか否かの判定に用いる同期タイマがセルグループごとにそれぞれ設けられ、各セルグループで独立に制御（スタート、再スタート、ストップ）される。具体的には、無線基地局１０／無線端末２０に設けられた同期タイマは、セルグループ１のセルにおける上り信号の送信タイミングを調整する「送信タイミングの調整値」が送信／受信されるごとに、同期タイマ１がスタート或は再スタートし、セルグループ２のセルにおける送信タイミング調整値が送信／受信されるごとに同期タイマ２がスタート或は再スタートする。なお、ここで言う「セルグループ」は、必ずしも図４に示すように複数のセルを含む必要はなく、あるセルグループにおいてはセルが１つのみでもよい。
【００３１】
以下、簡単の為、図５に示すようにセルグループ１（特定グループ）は特定のセル１のみ、セルグループ２（非特定グループ）は非特定のセル２のみを含むシステムを一例として、本実施形態による同期タイマ制御について説明する。特定セル１は非特定セル２とは異なる役割を持つ。例えば、特定セル１は無線端末２０が無線基地局１０と通信を行う上で必要な最初の無線接続の確立の為の処理を行ったり、セキュリティ情報などの基本情報の取得を行ったり、制御信号の送信を行ったりするのに使用される。ただし、本発明は１つのセルグループに複数のセルが含まれるシステムであっても同様に適用できることは以下の説明からも明らかである。また、図５では３セクタ構成（無線基地局あたり３セクタセル）だが、本発明はこれに限定されるものではなく、３セクタ以外の構成、例えば１セクタでも６セクタでも同様に適用できる。また、セル１とセル２における上り信号の送信タイミングを独立に制御する必要がある場合は、ｆ１とｆ２が大きく異なる場合（例えば、８００ＭＨｚと２ＧＨｚ）、ｆ１とｆ２の両方或は片方において再生局（リピーター）が存在する場合などがある。
【００３２】
１．２）同期タイマ制御
図６に示すように、同期タイマ１、同期タイマ２は、無線端末２０に、セルグループ１（特定グループ）、セルグループ２（非特定グループ）にそれぞれ対応して設けられ、セルグループごとに独立して制御される。尚、図示していないが、同様に無線基地局２０にも同期タイマ１、同期タイマ２に相当する同期タイマが設けられる事が考えられる。すなわち、同期タイマ１、同期タイマ２は、それぞれ対応するセルグループのセルにおける上り信号の同期が確立した時点でスタートし、それらが稼働中に無線基地局１０が送信タイミング調整値ＴＡ１、ＴＡ２を送信し、無線端末２０がそれらを受信すると、対応する同期タイマ１、同期タイマ２を再スタートする（ステップＳ２１、Ｓ２２）。このようなタイマ制御により、無線端末ＵＥは、同期タイマ１、同期タイマ２が稼働中か否かに応じて、それぞれのセルグループにおける上り信号の同期が保証されているか否かの判定を行うことができる。
【００３３】
本実施形態によれば、セルグループ１（特定グループ）における同期タイマ１の状態は、セルグループ１に含まれるセル１における上り信号（例えば上りデータ）の送信だけでなく、当該セルグループ１以外のセルグループ２（非特定グループ）に含まれるセル２における上り信号の送信にも関連付けられる。ここでいう「関連付け」とは、あるセルグループの同期タイマの状態が当該セルグループだけでなく他のセルグループのセルの上り信号の送信の可否にもリンクされていることをいう。たとえば、セルグループ１における同期タイマ１が満了した場合には、当該セルグループ１に含まれるセル１における上り信号（非同期時に送信可能なアクセス信号を除く）の送信を停止するだけでなく、セルグループ２に含まれるセル２における一部又は全ての上り信号の送信も停止する。ここで、一部の上り信号のみ送信を停止する（送信を行わない）場合とは、データの送信は停止するが制御信号及び／又は既知信号（パイロット信号やリファレンス信号）の送信は停止しない、すなわち継続送信する場合が考えられるが、これに限定はされない。図６に例示する「関連付け」は次のとおりである。
【００３４】
図６において、セルグループ１（特定グループ）における同期タイマ１が満了すると（ステップＳ２３）、セルグループ１に含まれるセル１の上り送信は非同期状態となり（非同期状態とみなし）停止する。その時点でセルグループ２（非特定グループ）の同期タイマ２が稼働中であれば、当該同期タイマ２を停止しないで継続稼働させつつ（ステップＳ２４）、非特定グループ２に含まれるセル２における少なくとも上りデータ送信を停止する（ステップＳ２５）。ただし、同期／再同期を行う為の上りアクセス信号（例えばランダムアクセスのプリアンブル）は必要に応じて送信できる。無線基地局１０は、同期タイマ１が満了した場合、セルグループ１に含まれるセル１における上り信号のスケジューリングを中止する。
【００３５】
無線基地局１０および無線端末２０は、セルグループ１および２において再び上り信号を送信する必要がある場合にはセルグループ１に含まれるセル１の再同期の処理を実行する（ステップＳ２６）。再同期が確立すると、セルグループ１における同期タイマ１がスタートしセルグループ１に含まれるセル１の上り送信は同期状態となる。この時点でセルグループ２における同期タイマ２が稼働中であれば（満了していなければ）、セルグループ２に含まれるセル２の上り送信を再開し、上りデータ送信を含めた上り送信を可能にする（ステップＳ２７）。ここで、上り信号の送信を可能にするとは、上り信号の送信の為の無線リソースをスケジューリング（指定）された場合、当該スケジューリングに従い送信することができることを意味している。尚、既に上り信号の周期的な送信の為の無線リソースをスケジューリング（指定）されている場合には、当該スケジューリングされていた無線リソースを用いて送信することができることを意味する。
【００３６】
１．３）効果
上述したように、本実施形態によれば、セルグループ１（特定グループ）における同期タイマ１が満了しても、セルグループ２（非特定グループ）の同期タイマ２が稼働中であればそのまま継続して稼働させ、セルグループ２のセルにおける少なくとも上りデータ送信を停止する。そしてセルグループ１の再同期が確立してセルグループ１の同期タイマ１がスタートすると、セルグループ２の同期タイマ２がそのまま稼働中であれば、セルグループ２のセルにおける上り送信が即座に可能となる。
【００３７】
このように、セルグループ１の同期タイマ１の状態にセルグループ２の上り信号の送信の可否をリンクさせておくことで、同期タイマ２が稼働中である限り、セルグループ２のセルにおける上り信号の送信を即座に（例えば、上りリンクのスケジューリング情報を受信したら再同期を待たずに）再開可能となり、再同期を行なう場合の遅延を低減させて無線端末のスループットの低下を抑制することができる。
【００３８】
２．無線局および無線端末の機能構成
図７に示すように、無線局としての無線基地局１０は、複数の無線端末からの信号をそれぞれ受信する受信部１０１と受信信号を復調する復調部１０２とを有し、受信したユーザデータは上位レイヤ１０３で処理される。タイミング制御部(Timing control unit)１０４は、複数の無線端末の各々に対応して設けられ、各無線端末が使用する各セルグループに対する上述した上り信号の送信タイミング調整値を送信することで当該無線端末が送信する上り信号の送信タイミングの制御を行う。送信信号生成部(Tx signal generator)１０５は無線端末への下り信号を生成し、送信部１０６は下り信号を送信する。
【００３９】
タイミング制御部１０４は、無線端末ｘにおけるセルグループ１（特定グループ）の上り信号が同期しているか否かを判定する為に用いる同期タイマ１（図７における参照番号１０７ｐ）と、無線端末ｘにおけるセルグループ２（非特定グループ）の上り信号が同期しているか否かを判定する為に用いる同期タイマ２（図７における参照番号１０７ｓ）と、セルグループ１のセルに対する送信タイミングの調整値ＴＡ１を算出し保持するＴＡ１算出・保持部１０８と、セルグループ２のセルに対する送信タイミングの調整値ＴＡ２を算出し保持するＴＡ２算出・保持部１０９とを機能的要素として有する。
【００４０】
なお、ここでは、図５に示すように２つの同期グループ、すなわちセルグループ１（特定グループ）とセルグループ２（非特定グループ）の場合を例示しているが、３以上のセルグループ（１つの特定グループと、２つ以上の非特定グループ）であってもそれぞれに対して同期タイマと上り信号送信タイミング調整値算出・保持部が設けられる。
【００４１】
図８に示すように、無線端末２０は、無線基地局１０からの信号を受信する受信部２０１と、受信した下り信号を復調する復調部２０２と、下りデータを処理する上位レイヤ２０３と、無線基地局１０からの上り信号送信タイミング調整値に従って各セルグループの上り信号送信タイミングの制御を行うタイミング制御部２０４と、無線基地局１０への上り信号を生成する送信信号生成部２０５と、上り信号を送信する送信部２０６とを有する。
【００４２】
タイミング制御部２０４は、無線基地局１０からの上り信号送信タイミング調整値ＴＡ１に従ってセルグループ１のセルにおける送信タイミングを制御するＴＡ１管理部(maintenance unit)２０８と、無線基地局１０からの上り信号送信タイミング調整値ＴＡ２に従ってセルグループ２のセルにおける送信タイミングを制御するＴＡ２管理部２０９とを機能的要素として有する。さらに、ＴＡ１管理部２０８はセルグループ１における上り信号送信タイミングが同期しているか否かを判定する為に用いる同期タイマ１（図８における参照番号２１０ｐ）を有し、ＴＡ２管理部２０９はセルグループ２における上り信号送信タイミングが同期しているか否かを判定する為に用いる同期タイマ２（図８における参照番号２１０ｓ）を有する。
【００４３】
なお、図７に示す無線基地局１０におけるタイミング制御部１０４の機能は、図示しないメモリに格納されたプログラムをＣＰＵ等のプログラム制御プロセッサ上で実行することにより実現することができる。同様に、図８に示す無線端末２０におけるタイミング制御部２０４の機能も、図示しないメモリに格納されたプログラムをＣＰＵ等のプログラム制御プロセッサ上で実行することにより実現することができる。
【００４４】
以下、図７および図８に示す無線基地局１０および無線端末２０における同期タイマ制御の基本的動作を図９および図１０を参照しながら詳細に説明する。
【００４５】
３．第１実施例
３．１）同期タイマ制御
図９および図１０に本実施例による無線基地局１０および無線端末２０の基本動作をそれぞれ示す。ここでは、無線端末２０が上りデータを送信する前段階として、必要に応じて上り無線リソースを要求するスケジューリング要求（Scheduling Request：ＳＲ）や送信バッファの状況報告（Buffer Status Report：ＢＳＲ）を行うが、図９、図１０では当該スケジューリング要求のステップは省略している。
【００４６】
図９において、まず無線基地局１０のタイミング制御部１０４は、対象となる無線端末ｘが送信要求している上り送信データがあるか否かを判定し（ステップ３０１）、上り送信データがある場合（ステップ３０１；Ｙｅｓ）、セルグループ１の同期タイマ１（１０７ｐ）が稼働中であるか否かを判定する（ステップ３０２）。
【００４７】
同期タイマ１（１０７ｐ）が稼働中でない（満了している）場合（ステップ３０２；Ｎｏ）、セル１における上りリンクの再同期を指示する（ステップ３０３）。セル１において再同期が完了した後（ステップ３０４；Ｙｅｓ）、セルグループ２の同期タイマ２（１０７ｓ）が稼働中であるか否かを判定する（ステップ３０５）。
【００４８】
同期タイマ２（１０７ｓ）が稼働中である場合（ステップ３０５；Ｙｅｓ）、セル１及び／又はセル２において当該無線端末ｘに対する上りリンクのスケジューリングを行い（ステップ３０６）、スケジューリンググラント（スケジューリング結果）を通知する（ステップ３０７）。
【００４９】
同期タイマ２（１０７ｓ）が稼働中でない（満了している）場合（ステップ３０５；Ｎｏ）、タイミング制御部１０４はセル２において再同期が必要であるか否かを判定し（ステップ３０８）、必要である場合（ステップ３０８；Ｙｅｓ）、セル２における上りリンクの再同期を指示する（ステップ３０９）。セル２において再同期が必要でなければ（ステップ３０８；Ｎｏ）、ステップ３０９は実行しない。そして、セル１において当該無線端末ｘに対する上りリンクのスケジューリングを行い（ステップ３１０）、スケジューリンググラントを通知する（ステップ３０７）。なお、無線基地局１０は、セル２における上りリンクの再同期を確認できた時点から、セル２に対しても上りリンクのスケジューリングを行うことができる。
【００５０】
図１０において、無線端末２０のタイミング制御部２０４は、スケジューリング要求や送信バッファ状況報告を行った後（図示なし）、上りリンクのスケジューリンググラントを受信したか否かを判定し（ステップ４０１）、受信した場合（ステップ４０１；Ｙｅｓ）、当該スケジューリンググラントに従いセル１及び／又はセル２で上りデータを送信する（ステップ４０２）。
【００５１】
上りリンクのスケジューリンググラントを受信していない場合（ステップ４０１；Ｎｏ）、セルグループ１の同期タイマ１（２１０ｐ）が稼働中か否かを判定し（ステップ４０３）、稼働中である場合（ステップ４０３；Ｙｅｓ）、セルグループ２の同期タイマ２（２１０ｓ）についても同様に判定を行う（ステップ４０４）。同期タイマ２（２１０ｓ）が稼働中でない場合（ステップ４０４；Ｎｏ）、セル２における上りリンクの再同期のトリガがかかっているか否かを判定する（ステップ４０５）。ここで、再同期のトリガとしては、例えば無線基地局１０からの再同期の指示、上り送信バッファ内のデータ量が所定値以上となり複数セルでの送信が好ましいと無線端末自身が判定した結果、あるいは同時に使用する他のセル（セルグループ）において上りリンクの同期が保たれていること、などが考えられる。
【００５２】
セル２における上りリンクの再同期のトリガがかかっている場合（ステップ４０５；Ｙｅｓ）、セル２において上りリンクの再同期に必要な処理を実行する（ステップ４０６）。たとえば、再同期の為の処理としては、ランダムアクセスなどのアクセス信号を送信し、上り信号の送信タイミングの調整値を取得する処理などが考えられる。セル２において再同期が完了すると（ステップ４０７；Ｙｅｓ）、同期タイマ２（２１０ｓ）をスタートさせ（ステップ４０８）、一連のステップを終了する。同期タイマ２（２１０ｓ）が稼働中である場合（ステップ４０４；Ｙｅｓ）あるいはセル２における上りリンクの再同期のトリガがない場合（ステップ４０５；Ｎｏ）には、そのまま一連のステップを終了する。
【００５３】
また、同期タイマ１（２１０ｐ）が稼働中でない場合（ステップ４０３；Ｎｏ）、セル１における上りリンクの再同期のトリガがかかっているか否かを判定する（ステップ４０９）。トリガがかかっている場合（ステップ４０９；Ｙｅｓ）、セル１における上りリンクの再同期に必要な処理を実行し（ステップ４１０）、再同期が完了すると（ステップ３１１；Ｙｅｓ）、同期タイマ１（２１０ｐ）をスタートさせ（ステップ４１２）、一連のステップを終了する。
【００５４】
さらに、セル１において上りリンクの再同期のトリガがかかっていない場合（ステップ４０９；Ｎｏ）、セルグループ２の同期タイマ２（２１０ｓ）が稼働中であるか否かを判定する（ステップ４１３）。稼働中である場合（ステップ４１３；Ｙｅｓ）、セル１の再同期が完了するまでセル２における上りデータ送信を停止する（行わない）（ステップ４１４）。その際、同期タイマ２（２１０ｓ）は継続して稼働させたままにして（ステップ４１５）、一連のステップを終了する。尚、この場合、セル２において上りデータ送信を停止するが、制御信号やリファレンス信号などの既知信号については送信を実行することもできる。同期タイマ２（２１０ｓ）が稼働中でなければ（ステップ４１３；Ｎｏ）、そのまま一連のステップを終了する。
【００５５】
なお、図４に例示したように１つのセルグループ内に複数のセルが含まれる場合、無線基地局１０はセルグループ毎に上り信号の送信タイミングの調整値を算出し、無線端末２０に通知する。このとき、セルグループ内であれば、どのセルの上り信号を用いて送信タイミングの調整値を算出してもよい。無線端末２０は、送信タイミングの調整値を受信した場合、セルグループ毎に当該セルグループに含まれる全てのセルに対して受信した送信タイミングの調整値を適用する。このような制御により、無線端末２０が上り信号送信タイミング制御を独立して行なう必要がある複数のセルグループのそれぞれでセルの上り無線リソースを用いる場合、各セルグループそれぞれにおいて独立に動作する同期タイマを用いて上り信号の同期管理を適切に行うことができる。
【００５６】
３．２）効果
上述した同期タイマ制御により、セルグループ１（特定グループ）における同期タイマ１（２１０ｐ）が満了しても、セルグループ２（非特定グループ）の同期タイマ２（２１０ｓ）が稼働中であればそのまま継続して稼働させ、セルグループ２のセルにおける少なくとも上りデータ送信を停止する。そしてセルグループ１の再同期が確立してセルグループ１の同期タイマ１（２１０ｐ）がスタートすると、セルグループ２の同期タイマ２（２１０ｓ）がそのまま稼働中であれば、再同期処理を行なうことなく、セルグループ２のセルにおける上り送信が可能となる。
【００５７】
４．第２実施例
図１１に示す本発明の第２実施例による同期タイマ制御では、セルグループ１の同期タイマ１が満了した後、無線端末２０によるスケジューリング要求やデータ送信などの処理に注目する。
【００５８】
４．１）同期タイマ制御
図１１において、無線基地局１０は、セルグループ１の同期タイマ１が満了すると（ステップ５０１）、セルグループ２の同期タイマ２が稼働中か否かを判定する（ステップ５０２）。同期タイマ２が稼働中であれば（ステップ５０２；Ｙｅｓ）、（必要であっても）セル２における上りリンクのスケジューリングを中止し（ステップ５０３）、同期タイマ２を継続して稼働させる（ステップ５０４）。同期タイマ２が稼働中でなければ（ステップ５０２；Ｎｏ）、ステップ５０３、５０４は実行しない。
【００５９】
続いて、セル１で上りリンクが再同期したか否かを判定し（ステップ５０５）、再同期した場合（ステップ５０５；Ｙｅｓ）、同期タイマ１をスタートさせる（ステップ５０６）。ここで、セル１で上りリンクを再同期する理由としては、無線端末２０に上りデータを送信させる為、無線端末２０に対する下りデータ送信に対する応答（制御信号）を当該無線端末に送信させる為、などが考えられる。
【００６０】
続いて、同期タイマ２が稼働中か否かを判定し（ステップ５０７）、依然として稼働中であれば（ステップ５０７；Ｙｅｓ）、上りリンクの拡張スケジューリング要求を受信したか否かを判定する（ステップ５０８）。ここで、拡張スケジューリング要求とは、複数のセル（の上り無線リソース）で上り信号を送信する場合に使用される要求であり、通常のスケジューリング要求よりも（例えば）多くの無線リソースを要求することが可能なものをいう。拡張スケジューリング要求を受信した場合（ステップ５０８；Ｙｅｓ）、セル１とセル２に対するスケジューリンググラントを無線端末２０に通知する（ステップ５０９）。
【００６１】
また、同期タイマ２が稼働中でない場合（ステップ５０７；Ｎｏ）、或いは、拡張スケジューリング要求を受信しなかった場合（ステップ５０８；Ｎｏ）、通常のスケジューリング要求を受信したか否かを判定する（ステップ５１０）。通常のスケジューリング要求を受信した場合（ステップ５１０；Ｙｅｓ）、セル１に対するスケジューリンググラントを無線端末２０に通知する（ステップ５１１）。
【００６２】
図１２において、無線端末２０は、セルグループ１の同期タイマ１が満了すると（ステップ６０１）、セルグループ２の同期タイマ２が稼働中であるか否かを判定する（ステップ６０２）。同期タイマ２が稼働中の場合（ステップ６０２；Ｙｅｓ）、（スケジューリングされていても）セル２における上りデータの送信を停止する（行わない）が（ステップ６０３）、同期タイマ２は継続して稼働させる（ステップ６０４）。そして、必要に応じてセル１において再同期の処理を実行する（図示なし）。
【００６３】
セル１が再同期した場合（ステップ６０５；Ｙｅｓ）、同期タイマ１をスタートさせ（ステップ６０６）、送信すべき上りデータがあるか否かを判定する（ステップ６０７）。上りデータあれば（ステップ６０７；Ｙｅｓ）、同期タイマ２が依然として稼働中であるか否かを判定する（ステップ６０８）。
【００６４】
同期タイマ２が稼働中である場合（ステップ６０８；Ｙｅｓ）、拡張スケジューリング要求を送信する（ステップ６０９）。当該拡張スケジューリング要求に対する応答としてセル１とセル２に対する上りリンクのスケジューリンググラントを受信すると（ステップ６１０）、当該グラントに従いセル１とセル２においてそれぞれ上りデータを送信する（ステップ６１１）。同期タイマ２が稼働中でない場合（ステップ６０８；Ｎｏ）、通常のスケジューリング要求を送信する（ステップ６１２）。当該スケジューリング要求に対する応答としてセル１に対する上りリンクのスケジューリンググラントを受信すると（ステップ６１３）、当該グラントに従いセル１において上りデータを送信する（ステップ６１４）。
【００６５】
４．２）効果
上述した本実施例による同期タイマ制御により、セル１を含むセルグループ１における同期タイマ１が一旦満了した後に再びセル１にて上りリンクの同期を再確立した場合、セル２を含むセルグループ２において上りリンクの同期を再確立することなく、すぐにセル２においても上りデータの送信が可能になる。つまり、再び複数セル（の上り無線リソース）を用いた上りデータ送信を行うまでの遅延を抑えることができる。尚、無線端末２０が拡張スケジューリング要求を送信しても、セル１とセル２の両方に対してスケジューリンググラントを受信するとは限らず、どちらか一方であってもよい。また、同期タイマ２が稼働中であっても、通常のスケジューリング要求を行ってもよい。そして、これらの場合も、本発明の適用範囲であることは言うまでもない。また、上り信号の送信タイミング制御を独立に行うセルグループが３つ以上ある場合にも本発明が適用可能であることも明白である。
【００６６】
５．適用例
本発明の具体的な適用例として、３ＧＰＰ  ＬＴＥ（Long Term Evolution）に従った無線通信システムについて詳細に説明する。すでに述べたように、ＬＴＥでは、無線端末（User Equipment:ＵＥ）が複数のセルの各々に対応する複数のコンポーネントキャリア（Component Carrier：ＣＣ）を同時に用いてユーザデータや上位レイヤの制御情報を送受信するキャリアアグリゲーション（Carrier Aggregation：ＣＡ）が規定されている。本発明はこのようなＬＴＥのキャリアアグリゲーションＣＡに適用可能である。
【００６７】
キャリアアグリゲーションＣＡの機能において、無線端末ＵＥが、無線基地局ｅＮＢと通信を行う上で最も基本的なシステム情報やセキュリティ情報の取得などを行うセルをプライマリセル（Primary Cell：ＰＣｅｌｌ）、その他のセルでプライマリセルＰＣｅｌｌと同時に使用するセルをセカンダリセル（Secondary Cell：ＳＣｅｌｌ）と呼ぶ。つまり、無線端末ＵＥは、１つのプライマリセルＰＣｅｌｌと、１つ以上のセカンダリセルＳＣｅｌｌとを同時に用いてユーザデータ等を送受信することができる。
【００６８】
なお、下りリンクのキャリアアグリゲーションＣＡを行う準備として、無線基地局ｅＮＢは、まず無線端末ＵＥにセカンダリセルＳＣｅｌｌを設定する（configure SCell）。このとき、セカンダリセルの設定に必要な最小構成要素は下りリンクの無線リソースに相当するコンポーネントキャリアＣＣに関する情報である。そして、設定されたセカンダリセル（configured SCell）の中で実際に使用するセカンダリセルを選択し、当該セカンダリセルを有効にするよう無線端末ＵＥに指示を行う（activation of SCell）。その後、無線端末ＵＥは、実際に有効にされたセカンダリセル（activated SCell）とプライマリセルＰＣｅｌｌとを同時に使用して下り信号を受信することができる。
【００６９】
一方、上りリンクのキャリアアグリゲーションＣＡを行う準備として、無線基地局ｅＮＢは、セカンダリセルを無線端末ＵＥに設定する際、下りリンクのコンポーネントキャリアＣＣに関する情報に加え、対応する上りリンクの無線リソースに相当するコンポーネントキャリアＣＣに関する情報を通知する。そして、当該セカンダリセルが有効にされた（activation of SCell with configured uplink）後、当該セカンダリセルＳＣｅｌｌの上りリンクのコンポーネントキャリアＣＣ（上り無線リソース）を使用することができる。
【００７０】
ここで、同じ送信タイミングの調整値（Timing Advance：ＴＡ）を適用（利用あるいは共有）できる複数の上りリンクの無線リソース（コンポーネントキャリアＣＣ）のそれぞれに対応するセルの集合を同期グループ（Timing Advance Group：ＴＡグループ）と呼ぶ。但し、各同期グループ（ＴＡグループ）は１つ以上のセルを含む。つまり各同期グループ（ＴＡグループ）は１つのセルのみで構成されるようにしてもよい。また、プライマリセルＰＣｅｌｌを含む同期グループ（ＴＡグループ）をプライマリ同期グループ（Primary TA Group、又は、PCell TA Group）、セカンダリセルＳＣｅｌｌのみを含む同期グループ（ＴＡグループ）をセカンダリ同期グループ（Secondary TA Group、又は、SCell TA Group）と呼ぶ。プライマリ同期グループはプライマリセルＰＣｅｌｌのみ、或はプライマリセルＰＣｅｌｌおよび１つ以上のセカンダリセルＳＣｅｌｌから構成され、セカンダリ同期グループは１つ以上のセカンダリセルＳＣｅｌｌから構成される。尚、ＬＴＥでは、送信タイミングの調整値（ＴＡ）を示す情報をＴＡコマンド（Timing Advance Command）と呼び、ＭＡＣ層（Medium Access Control Layer）の制御情報（Control Element: CE）として送信される。
【００７１】
このようなシステムに本発明を提供した場合、無線端末ＵＥの上り信号が同期しているか否かの判定に用いる同期タイマ（Time Alignment Timer：ＴＡＴ）が同期グループ毎に保持される。また、上述したように、特定グループ（特定の同期グループ）における同期タイマの状態（稼働中か否か）と、特定グループ以外の非特定グループ（非特定の同期グループ）のセルにおける上りデータ送信とが関連付けられる。その一方で、同期タイマＴＡＴは、特定グループと非特定グループでそれぞれ独立に制御される。特定グループおよび非特定グループは、それぞれプライマリ同期グループおよびセカンダリ同期グループに対応させることができる。
【００７２】
なお、特定グループ（プライマリ同期グループ）の同期タイマと、特定グループ（プライマリ同期グループ）及び非特定グループ（セカンダリ同期グループ）における上りデータ送信との「関連付け」についてはすでに述べたとおりである。特定グループ（プライマリ同期グループ）と非特定グループ（セカンダリ同期グループ）における同期タイマの独立な制御とは、例えば各グループにおける同期タイマのスタート／再スタートやストップを各グループに対する送信タイミング調整値ＴＡの受信状況に対応させて行うことを示す。
【００７３】
図１３に示すように、無線基地局ｅＮＢは、４つの周波数帯ｆ０、ｆ１、ｆ２、ｆ３を用いてセルを管理しており、無線端末ＵＥは周波数帯ｆ０のセル０の上り無線リソース（以下、単にセル０という。）、ｆ１のセル１の上り無線リソース（以下、単にセル１という。）、ｆ２のセル２の上り無線リソース（以下、単にセル２という。）およびｆ３のセル３の上り無線リソース（以下、単にセル３という。）の全て或は複数を同時に用いて上り信号を送信する。ここで、セル０をプライマリセルＰＣｅｌｌ、セル１〜セル３をセカンダリセルＳＣｅｌｌとする。また、伝搬遅延（伝搬特性）が同じであるセル０とセル１をプライマリ同期グループ、同じく伝搬遅延（伝搬特性）が同じであるセル２とセル３をセカンダリ同期グループとする。
【００７４】
以下に説明する第３、第４実施例において、プライマリ同期グループのプライマリセルＰＣｅｌｌであるセル０或はセカンダリセルＳＣｅｌｌであるセル１からの上り信号を単に「プライマリ同期グループからの上り信号」と呼び、セカンダリ同期グループのセカンダリセルＳＣｅｌｌであるセル２或はセル３からの上り信号を単に「セカンダリ同期グループからの上り信号」と呼ぶ。また、特に説明がない限り、セル０とセル１の上り信号を区別しない。同様に、セル２とセル３の上り信号も区別しない。
【００７５】
６．第３実施例
次に、図１３に示すシステムを一例としてキャリアアグリゲーション（ＣＡ）時の上り信号の同期判定に用いる同期タイマ制御方法について説明する。なお、本発明の第３実施例では、図７に示す無線基地局ｅＮＢの同期タイマ１（１０７ｐ）がプライマリ同期グループにおけるプライマリ同期タイマＴＡＴ−ｐ、同期タイマ２（１０７ｓ）がセカンダリ同期グループにおけるセカンダリ同期タイマＴＡＴ−ｓにそれぞれ対応し、図８に示す無線端末ＵＥの同期タイマ１（２１０ｐ）がプライマリ同期グループにおけるプライマリ同期タイマＴＡＴ−ｐ、同期タイマ２（２１０ｓ）がセカンダリ同期グループにおけるセカンダリ同期タイマＴＡＴ−ｓにそれぞれ対応する。
【００７６】
本実施例では、プライマリ同期グループにおけるプライマリ同期タイマと、セカンダリ同期グループにおけるセカンダリ同期タイマとを独立に制御する。従って、プライマリ同期タイマが満了してもセカンダリ同期タイマが満了していない場合、セカンダリ同期タイマを継続して稼働させる（停止させない）。但し、この場合、セカンダリ同期タイマが稼働中であっても、セカンダリ同期グループにおける上り信号の送信は行わない。尚、同期タイマの満了後でも、ランダムアクセスなどの上りアクセス信号は必要に応じて送信可能である。また、ここでプライマリセルＰＣｅｌｌが属するプライマリ同期グループにおけるプライマリ同期タイマが満了した場合に注目している理由は、ＬＴＥにおいて物理層（Physical Layer）やＭＡＣ層（Medium Access Control Layer）に関する上り制御信号を送信する物理チャネル（Physical Uplink Control Channel：ＰＵＣＣＨ）が、プライマリセルにおいてのみ使用可能であり、プライマリセルにおける上り信号の同期が最も重要である為である。
【００７７】
６．１）同期タイマ制御
図１４において、無線基地局ｅＮＢは、制御対象の無線端末ＵＥｘが送信すべき（未送信の）上りデータを保有しているか否かを、例えば送信バッファ状況報告（Buffer Status Report：ＢＳＲ）を基に判定し（ステップ７０１）、当該無線端末ＵＥｘが上りデータを保有している場合（ステップ７０１；Ｙｅｓ）、プライマリ同期タイマ（ＴＡＴ−ｐ）が稼働中であるか否かを判定する（ステップ７０２）。プライマリ同期タイマ（ＴＡＴ−ｐ）が稼働中である場合（ステップ７０２；Ｙｅｓ）、セカンダリ同期タイマ（ＴＡＴ−ｓ）についても同様に稼働中であるか否かを判定する（ステップ７０３）。
【００７８】
セカンダリ同期タイマ（ＴＡＴ−ｓ）も稼働中であれば（ステップ７０３；Ｙｅｓ）、上りデータ量に応じて、プライマリ同期グループ及び／又はセカンダリ同期グループのセルに対して上りリンクのスケジューリングを行い（ステップ７０４）、スケジューリング結果を示すスケジューリンググラントと（必要に応じて）送信タイミング調整値ＴＡを送信する（ステップ７０６）。セカンダリ同期タイマ（ＴＡＴ−ｓ）が稼働中でない（満了している）場合（ステップ７０３；Ｎｏ）、プライマリ同期グループのセルに対して上りリンクのスケジューリングを行い（ステップ７０５）、スケジューリング結果を示すスケジューリンググラントと（必要に応じて）送信タイミング調整値ＴＡを送信する（ステップ７０６）。
【００７９】
一方、プライマリ同期タイマ（ＴＡＴ−ｐ）が稼働中でない（満了している）場合（ステップ７０２；Ｎｏ）、プライマリ同期グループにおける上りリンクのスケジューリングを中止する（以降行わない）（ステップ７０７）。続いて、セカンダリ同期タイマ（ＴＡＴ−ｓ）が稼働中であるか否かを判定し（ステップ７０８）、稼働中である場合（ステップ７０８；Ｙｅｓ）、プライマリ同期タイマ（ＴＡＴ−ｐ）の満了に伴い停止することはせずに、継続して稼働させ（ステップ７０９）、セカンダリ同期グループにおける上りリンクのスケジューリングを中止する（以降行わない）（ステップ７１０）。そして、無線端末ＵＥｘに対して、プライマリ同期グループにおける上りリンクの再同期の要求を行う（ステップ７１１）。プライマリ同期グループにおいて上りリンクの再同期が行われた場合（ステップ７１２；Ｙｅｓ）、プライマリ同期タイマ（ＴＡＴ−ｐ）を再びスタートさせ（ステップ７１３）、ステップ７０３へ移り、以降同様の処理を繰り返す。
【００８０】
図１５において、無線端末ＵＥｘは、送信すべき（未送信の）上りデータを保有しているか否かを判定し（ステップ８０１）、上りデータを保有している場合（ステップ８０１；Ｙｅｓ）、プライマリ同期タイマ（ＴＡＴ−ｐ）が稼働中であるか否かを判定する（ステップ８０２）。
【００８１】
プライマリ同期タイマ（ＴＡＴ−ｐ）が稼働中である場合（ステップ８０２；Ｙｅｓ）、セカンダリ同期タイマ（ＴＡＴ−ｓ）についても同様に稼働中であるか否かを判定する（ステップ８０３）。セカンダリ同期タイマ（ＴＡＴ−ｓ）も稼働中である場合（ステップ８０３；Ｙｅｓ）、スケジューリング結果を示すスケジューリンググラントを受信し（図示なし）、スケジューリングされたプライマリ同期グループ及び／又はセカンダリ同期グループのセルにおいて上りデータの送信を行う（ステップ８０４）。セカンダリ同期タイマ（ＴＡＴ−ｓ）が稼働中でない（満了している）場合（ステップ８０３；Ｎｏ）、スケジューリングされたプライマリ同期グループのセルにおいて上りデータの送信を行う（ステップ８０５）。無線端末ＵＥｘは必要に応じて、上りデータ送信と共に送信バッファ状況報告（ＢＳＲ）を行う（ステップ８０６）。
【００８２】
一方、プライマリ同期タイマ（ＴＡＴ−ｐ）が稼働中でない（満了している）場合（ステップ８０２；Ｎｏ）、プライマリ同期グループにおいて（もし既にスケジューリングされていた場合）上り送信を中止する（以降行わない）（ステップ８０７）。続いて、セカンダリ同期タイマ（ＴＡＴ−ｓ）が稼働中であるか否かを判定し（ステップ８０８）、稼働中であれば（ステップ８０８；Ｙｅｓ）、プライマリ同期タイマ（ＴＡＴ−ｐ）の満了に伴い停止することはせずに、継続して稼働させるが（ステップ８０９）、（もし既にスケジューリングされていた場合には）セカンダリ同期グループにおいて上り送信を中止する（以降行わない）（ステップ８１０）。
【００８３】
続いて、プライマリ同期グループにおける上りリンクの再同期の処理を開始し（ステップ８１１）、プライマリ同期グループにおいて上りリンクの再同期が行われると（ステップ８１２；Ｙｅｓ）、プライマリ同期タイマ（ＴＡＴ−ｐ）を再びスタートさせ（ステップ８１３）、ステップ８０３へ移る。このとき、プライマリ同期グループにおいて上りリンクが再同期した時点で、依然としてセカンダリ同期タイマ（ＴＡＴ−ｓ）が稼働中であれば、セカンダリ同期グループにおいて上りリンクの再同期の処理を待たずに上り送信が再開できる。以降同様の処理を繰り返す。
【００８４】
６．２）効果
上述したように、本発明の第３実施例によれば、上り信号送信タイミングが独立な複数の同期グループが存在する場合でも、無線端末ＵＥは各同期グループに対するそれぞれの同期タイマを用いて適切に同期タイマ制御を行なうことができる。さらに、一旦プライマリ同期タイマ（ＴＡＴ−ｐ）が満了した後で再同期を行った場合も、プライマリ同期タイマ（ＴＡＴ−ｐ）の満了から再スタートまでに、セカンダリ同期タイマ（ＴＡＴ−ｓ）が稼働中であればセカンダリ同期グループのセルにおける上り送信の再開までの遅延を抑える（回避する）ことができる。
【００８５】
７．第４実施例
次に、プライマリ同期グループにおけるプライマリ同期タイマ（ＴＡＴ−ｐ）が満了した場合における、セカンダリ同期グループにおけるセカンダリ同期タイマ（ＴＡＴ−ｓ）の制御方法と上り信号の送信に注目する。本発明の第４実施例による同期タイマ制御は、プライマリ同期タイマ（ＴＡＴ−ｐ）が満了しても、セカンダリ同期タイマ（ＴＡＴ−ｓ）が依然として稼働中ならば、セカンダリ同期グループのセルにおいて上りデータ送信を停止するが、所定の制御信号及び／又は既知信号は送信可能にする。以下では、既知信号の例として、ＬＴＥにおけるサウンディング・リファレンスシグナル（Sounding Reference Signal：ＳＲＳ）を想定する。
【００８６】
図１６において、無線端末ＵＥｘはプライマリ同期タイマ（ＴＡＴ−ｐ）が満了した場合（ステップ９０１）、プライマリ同期グループのセルにおいて（もし既にスケジューリングされている場合には）上り送信を中止する（以降行わない）（ステップ９０２）。
【００８７】
続いて、セカンダリ同期タイマ（ＴＡＴ−ｓ）が稼働中であるか否かを判定する（ステップ９０３）。セカンダリ同期タイマ（ＴＡＴ−ｓ）も稼働中でない（満了している）場合には（ステップ９０３；Ｎｏ）、セカンダリ同期グループのセルにおいて（もし既にスケジューリングされている場合）上り送信を中止する（以降行わない）（ステップ９０４）。
【００８８】
一方、セカンダリ同期タイマ（ＴＡＴ−ｓ）が稼働中であれば（ステップ９０３；Ｙｅｓ）、セカンダリ同期グループのセルにおいて（もし既にスケジューリングされている場合には）上りデータ送信を中止する（以降行わない）（ステップ９０５）。しかし、セカンダリ同期タイマ（ＴＡＴ−ｓ）は継続して稼働させる（ステップ９０６）。そして、セカンダリ同期タイマ（ＴＡＴ−ｓ）が稼働中である間、セカンダリ同期グループのセルにおいて（もし既にスケジューリングされている場合には）上りのサウンディング・リファレンスシグナル（ＳＲＳ）の送信を継続する（ステップ９０７）。そして、ステップ９０３へ戻り、上記処理を繰り返す。
【００８９】
上述したように、本発明の第４実施例によれば、無線基地局ｅＮＢは、プライマリ同期グループにおいて上りリンクの同期が外れた（失われた）場合でも、セカンダリ同期グループにおいて上りリンクの同期が維持されている限り、上りのサウンディング・リファレンスシグナル（ＳＲＳ）の送信を継続するので、セカンダリ同期グループのセルにおける上りリンクの通信品質のチェックや上りリンクの同期確認などを行うことができる。これにより、プライマリ同期グループにおいて上りリンクの再同期が行われた後に、セカンダリ同期グループのセルにおける上りデータ送信の為のスケジューリングも適切に実行することができる。さらにまた、無線基地局ｅＮＢは、無線端末ＵＥが自身の配下のセルに依然として存在することの確認なども行うことができる。
【００９０】
８．他の実施例
上述した実施形態および実施例では、基本的に、物理層やＭＡＣ層（の一部）の上り制御信号を送信する物理チャネル（ＰＵＣＣＨ）が、プライマリセルのみであることを前提に説明を行った。しかしながら、本発明はこれに限定されるものではなく、当該上り制御信号を送信する物理チャネル（ＰＵＣＣＨ）をセカンダリセルで使用する場合にも適用可能である。例えば、各同期グループの少なくとも１つのセルで物理チャネル（ＰＵＣＣＨ）が使用できる場合、プライマリセルにおける上り信号の同期に関係無く、ある同期グループにおいて当該同期グループのセルにおける上り信号の同期が維持されている限り、種類を問わず上り信号の送信あるいは送信継続を可能にすることもできる。
【００９１】
さらに、同期グループ（ＴＡ  Ｇｒｏｕｐ）の設定方法としては、下記の方法が考えられる。
【００９２】
まず、ＬＴＥのキャリアアグリゲーション（ＣＡ）では、サービングセルインデックス（ＳｅｒｖＣｅｌｌＩｎｄｅｘ）で、各セルを対応付けるよう規定されている。例えば、サービングセルインデックス“０”は、プライマリセル（ＰＣｅｌｌ）に、サービングセルインデックス“１〜７”はそれぞれ、セカンダリセル（ＳＣｅｌｌ）に割り当てられる。また、セカンダリセルインデックス（ＳＣｅｌｌＩｎｄｅｘ）も規定されている。セカンダリセルインデックス“１〜７”が、サービングセルインデックス“１〜７”にそれぞれ対応している。プライマリセルは、常にサービングセルインデックスが“０”なので、特に無線基地局（ｅＮＢ）から無線端末（ＵＥ）に当該プライマリセルのサービングセルインデックスの情報を通知することはないが、各セカンダリセルインデックスは、セカンダリセルが設定される（ｃｏｎｆｉｇｕｒｅ  ＳＣｅｌｌ）際に無線基地局（ｅＮＢ）から無線端末（ＵＥ）に通知される。
【００９３】
そこで、同期グループ（ＴＡ  Ｇｒｏｕｐ）の設定方法としては、セカンダリセルを設定するとき、つまりセカンダリセルインデックスを通知するときに、同期グループのインデックス（番号）（ＴＡ  Ｇｒｏｕｐ  Ｉｎｄｅｘ又はＴＡ  Ｇｒｏｕｐ  ＩＤ）を無線基地局（ｅＮＢ）から無線端末（ＵＥ）に通知するようにしても良いし、同期グループのインデックスとそれに対応するセル又は周波数の情報をセル内の無線端末（ＵＥ）に報知或いは個別通知しても良い。尚、当該セカンダリセルに対応する上り無線リソース（コンポーネントキャリアＣＣ）の設定が伴う場合のみ、同期グループのインデックスを通知するようにしても良い。さらに、プライマリセルを含むプライマリ同期グループ（ＰＣｅｌｌ  ＴＡ  Ｇｒｏｕｐ）の同期グループのインデックスは“０”に設定し、セカンダリ同期グループ（ＳＣｅｌｌ  ＴＡ  Ｇｒｏｕｐ）の同期グループのインデックスは“１”以降に設定することが考えられるが、これに限定はされない。
【００９４】
さらに、これまで述べた実施例では、無線通信システムとして３ＧＰＰ  ＬＴＥを想定して説明したが、本発明の対象はそれらに限定されることはなく、ＧＳＭ（Global System for Mobile communications）、ＵＭＴＳ（Universal Mobile Telecommunications System）、ＷｉＭＡＸ（Worldwide interoperability for Microwave Access）などにも適用可能である。
【産業上の利用可能性】
【００９５】
本発明は、３ＧＰＰ  ＬＴＥ、ＧＳＭ、ＵＭＴＳなどの無線通信システムにおける送信タイミング制御に利用可能である。
【符号の説明】
【００９６】
１０  無線基地局
１０１  受信部
１０２  復調部
１０３  上位レイヤ
１０４  タイミング制御部（ＵＥx）
１０５  送信信号生成部
１０６  送信部
１０７ｐ  同期タイマ（ＴＡＴ１）
１０７ｓ  同期タイマ（ＴＡＴ２）
１０８  ＴＡ１算出・保持部
１０９  ＴＡ２算出・保持部
２０  無線端末
２０１  受信部
２０２  復調部
２０３  上位レイヤ
２０４  タイミング制御部
２０５  送信信号生成部
２０６  送信部
２０８  ＴＡ１管理部
２０９  ＴＡ２管理部
２１０  同期タイマ（ＴＡＴ１）
２１１  同期タイマ（ＴＡＴ２）
【図１】
0005979383.tif 000002
【図２】
0005979383.tif 000003
【図３】
0005979383.tif 000004
【図４】
0005979383.tif 000005
【図５】
0005979383.tif 000006
【図６】
0005979383.tif 000007
【図７】
0005979383.tif 000008
【図８】
0005979383.tif 000009
【図９】
0005979383.tif 000010
【図１０】
0005979383.tif 000011
【図１１】
0005979383.tif 000012
【図１２】
0005979383.tif 000013
【図１３】
0005979383.tif 000014
【図１４】
0005979383.tif 000015
【図１５】
0005979383.tif 000016
【図１６】
0005979383.tif 000017